(57)【要約】【課題】大きな波があっても頭が転げにくく疲労しても呼吸ができ、荒天時の海や津波等に対しても長時間生存可能な救命胴衣を提供する。【解決手段】人体の胴部に装着され、浮力材を内蔵する胴衣本体１と、頭を保持する襟巻き部１０からなり、襟巻き部１０は、胴衣本体１の襟首につなげられており、襟巻き部１０は、頭の後面を支える後面部１１と、頭の左右側面を支える左右一対の側面部１２，１３とからなり、かつ浮力材を内蔵している。人が長時間漂流して体力を失ってきたとしても、あお向けで浮いている限り頭は後面も左右両側面も襟巻き部１０で保持されるので、顔面を上に向けて保持され呼吸を続けることができる。また、大きな波をかぶっても襟巻き部１０の開放縁から水を排水できフードのように内部に貯めることがない。このため長時間の生存が可能となる。【選択図】図１
2014054861.tif 000002
【特許請求の範囲】
【請求項１】
人体の胴部に装着され浮力材を内蔵する胴衣本体と、頭を保持する襟巻き部からなり、
該襟巻き部は、前記胴衣本体の首回りにつなげられており、
該襟巻き部は、頭の後面を支える後面部と、頭の左右側面を支える左右一対の側面部とからなり、かつ浮力材を内蔵している
ことを特徴とする救命胴衣。
【請求項２】
前記襟巻き部における前記後面部の側縁と前記左右一対の側面部の側縁とは、正面視逆八の字形に位置して互いに接しており、
前記浮力材は、前記後面部および前記左右一対の側面部のそれぞれに個別に浮力材が内蔵されている
ことを特徴とする請求項１記載の救命胴衣。
【請求項３】
前記胴衣本体に内蔵した浮力材は、前身頃と後身頃に分けて内蔵されており、前身頃の浮力材の浮力は後身頃の浮力材の浮力より大きい
ことを特徴とする請求項１または２記載の救命胴衣。
【請求項４】
前記胴衣本体および前記襟巻き部は、耐炎性を有する素材で製作されている
ことを特徴とする請求項１、２または３記載の救命胴衣。
【発明の詳細な説明】
【技術分野】
【０００１】
本発明は、救命胴衣に関する。さらに詳しくは、津波や海難事故等にあって長時間漂流する事態でも救命効果の高い救命胴衣に関する。
【背景技術】
【０００２】
救命胴衣に関する従来技術として特許文献１、２がある。
特許文献１は、救命胴衣の上部にフード２を取付けたものである。フードは頭の保護によいようであるが、波によってフードに入ってきた水が外へ抜けにくいという欠点があるので、かえって呼吸を困難にする欠点で津波や海難事故での生存率を高くすることはできない。
【０００３】
特許文献２は、救命胴衣の背後に後ろ襟部というものを付けたものである。この後ろ襟部は、セーラー服の後ろ襟のような平たく柔らかい布である。この後ろ襟部では水面上の頭を沈まないように保持することは困難であり、かつ波が荒いと頭が横向きに転んでしまうので、荒天時には実用的ではない。したがって、やはり津波や海難事故での生存率を高くすることはできないという欠点がある。
【先行技術文献】
【特許文献】
【０００４】
【特許文献１】特開２００７−２３８０６４
【特許文献２】特開２００４−１６８２３１
【発明の概要】
【発明が解決しようとする課題】
【０００５】
本発明は上記事情に鑑み、大きな波があっても頭が転げにくく疲労しても呼吸ができ、荒天時の海や津波等に対しても長時間生存可能な救命胴衣を提供することを目的とする。
【課題を解決するための手段】
【０００６】
第１発明の救命胴衣は、人体の胴部に装着され浮力材を内蔵する胴衣本体と、頭を保持する襟巻き部からなり、該襟巻き部は、前記胴衣本体の首回りにつなげられており、該襟巻き部は、頭の後面を支える後面部と、頭の左右側面を支える左右一対の側面部とからなり、かつ浮力材を内蔵していることを特徴とする。
第２発明の救命胴衣は、第１発明において、前記襟巻き部における前記後面部の側縁と前記左右一対の側面部の側縁とは、正面視逆八の字形に位置して互いに接しており、前記浮力材は、前記後面部および前記左右一対の側面部のそれぞれに個別に浮力材が内蔵されていることを特徴とする。
第３発明の救命胴衣は、第１または第２発明において、前記胴衣本体に内蔵した浮力材は、前身頃と後身頃に分けて内蔵されており、前身頃の浮力材の浮力は後身頃の浮力材の浮力より大きいことを特徴とする。
第４発明の救命胴衣は、第１、第２または第３発明において、前記胴衣本体および前記襟巻き部は、耐炎性を有する素材で製作されていることを特徴とする。
【発明の効果】
【０００７】
第１発明によれば、人が長時間漂流して体力を失ってきたとしても、あお向けで浮いている限り頭は後面も左右両側面も襟巻き部で保持されるので、顔面を上に向けて保持され呼吸を続けることができる。また、大きな波をかぶっても襟巻き部の開放縁から水を排水できフードのように内部に貯めることがないので、この点からも呼吸を続けることができる。よって、長時間漂流する事態でも高い救命効果が得られる。
第２発明によれば、襟巻き部の後面と左右の側面部には独立した浮力材が入っているので、左右の両側面部が水の浮力を受けて立ち上るとき、逆八の字形の側縁で折り曲げられ、このため人の頭の側部を包むように覆うことができるので、頭が左右に転がらないように保持しやすくなる。このため、口が水中に漬かって呼吸困難になるのを防止しやすい。
第３発明によれば、前身頃の浮力が後身頃の浮力より大きいので、波によって人体が横に向いたりうつ伏せになったとしても、すぐにあお向けに戻すことができるので呼吸を続けやすくなる。また、襟巻き部の左右の側面部も立ち上らせやすくなる。このため、救命効果が高くなる。
第４発明によれば、救命胴衣自体が耐炎性を有しているので、津波や地震に伴う火災や一般火災時に人体を火災から守る役目も果たすことができる。
【図面の簡単な説明】
【０００８】
【図１】本発明の一実施形態に係る救命胴衣の正面図である。
【図２】図１の救命胴衣の背面図である。
【図３】襟巻き部の正面図である。
【図４】人が本発明の救命胴衣を装着した状態の説明図である。
【図５】人が本発明の救命胴衣を装着して漂流している状態の説明図である。
【発明を実施するための形態】
【０００９】
つぎに、本発明の実施形態を図面に基づき説明する。
図１および図２に示すように、本実施形態の救命胴衣Ａは人の胴部に装着する胴衣本体１と頭を保持する襟巻き部１０とからなる。
まず、胴衣本体１を説明するが、これは従来からの救命胴衣の本体部と本質的な相違はない。
【００１０】
図示の胴衣本体１は、左右の前身頃２，３と後身頃４とは左右の肩部５，５でつながっており、かつ脇部６，６でもつながっている。そして、左右の前身頃２，３はファスナー７で互いに連結可能になっており、かつ左右の脇部６，６に取付けた複数本のベルト８（３本のベルトを個々に示すときは符号８ａ、８ｂ、８ｃを用いる）を前身頃２，３の前で結合すると、人の胴部に胴衣本体１をしっかりと装着することができる。なお、ベルト８のバックルは公知のクイック型金具（差し込めば引っ掛かるプラスチック製結合具）が用いられている。
【００１１】
救命胴衣全体Ａは、表裏２枚の布素材を縫製し、その内部に浮力材を挿入して、救命胴衣に必要な浮力が与えられるようになっている。とくに、左右の前身頃２，３および後身頃４には、別々の浮力材が内蔵されている。
肩部５，５には、反射材９が貼付されている。なお、反射材９はその他適当な場所に貼付してもよい。
なお、図示の構成は例示であって、本発明では、どのような形状の胴衣本体を用いてもよい。
【００１２】
つぎに、本発明の特徴部分を説明する。
本発明の救命胴衣Ａでは、襟巻き部１０の構成に特徴がある。
図１に示すように、襟巻き部１０は、胴衣本体１の首回り１ｎにつなげて取付けられている。図３に示すように、襟巻き部１０は、頭の後面を支える後面部１１と、頭の左右側面を支える左右一対の側面部１２，１３とからなる。後面部１１と両側面部１２，１３は、表裏２枚の布素材を縫製して作られている。
【００１３】
襟巻き部１０の全体的な形状は横長の楕円形から首を通す部分を除去した形である。
後面部１１は略台形、すなわち天縁が長く底縁が短い上下反転した台形である。１１ａは円弧状の長い天縁、１１ｂは底縁、１１ｃは左側縁、１１ｄは右側縁を示している。
左側面部１２は、円弧状の長い天縁１２ａ、底縁１２ｂ、側縁１２ｃからなる。右側面部１３は、円弧状の長い天縁１３ａ、底縁１３ｂ、側縁１３ｄからなる。なお、この形状一例であって、これに限られることなく、長四角形など種々の形状を用いることができる。
【００１４】
各底縁１１ｂ，１２ｂ，１３ｂは胴衣本体１の首回り１ｎに接続される部位である。後面部１１の側縁１１ｃと左側面部１２の側縁１２ｃの間は縫製線が通っているが同じ布素材が連続している。また、後面部１１の左側縁１１ｄと右側面部の側縁１３ｄの間も縫製線が通っているが、同じ布素材が連続している。この縫製線は、底縁１１ｂ，１２ｂ，１３ｂと天縁１１ａ，１２ａ，１３ａの間をつなぐ長さであってもよく、より短く部分的につなぐ長さであってもよい。
そして、左側の側縁１１ｃと１２ｃ、右側の側縁１１ｄと１３ｄは正面視（図３）において上方に開いた逆八の字形に位置して互いに接している。
【００１５】
襟巻き部１０の三つの区画、すなわち後面部１１、左右の側面部１２，１３には、それぞれ別個の浮力材２０が内蔵されている。このため、水中に漬かったとき、底縁１１ｂ，１２ｂ，１３ｂは胴衣本体１に固定されているが、天縁１１ａ，１２ａ，１３ａ（つまり、外縁側）は浮力を受けて上方のみ動くことが可能であり、このとき左の側縁１１ｃ，１２ｃと右の側縁１１ｄ，１３ｄは互いに離れることなく動き、かつ逆八の字形となっているので、結局左右の側面部１２，１３は人の頭あるいは顔の側面を包み込むように立ち上ることになる。もちろん、頭の後面は後面部１１で支えられる。
【００１６】
胴衣本体１の浮力は、救難用途なので、大人用で５ｋｇから１０ｋｇ、小人用で３ｋｇから６ｋｇが好ましい範囲であるが、これらの範囲内で任意の浮力をもつ救命胴衣とすればよい。
胴衣の前後の浮力割合は、前身頃２，３の方が後身頃４より高いのが特徴であり、好ましくは、前身頃：後身頃の浮力比率が約１．２対１から２対１とされている。とくに好ましいのが、１．５対１前後（たとえば、６０〜６５％：４０〜３５％）である。この範囲内の比率で前身頃２，３の浮力が大きいと、人を水中であお向けに保持しやすく、波で人がうつぶせになってもあお向けに戻すことができ、呼吸を続けさせることができるからである。また、浮力の比率が極端に大きくないので、人為的な横向き動作も可能であり、水中で泳ぐ動作も可能であるなど、救命に必要な自律動作も行える。
【００１７】
本発明の救命胴衣Ａの構成素材は全て耐炎性をもつものであることが好ましい。
本実施形態の救命胴衣Ａは、耐熱性や耐火性、耐炎性のある布素材を縫製することにより作られている。
耐炎性を有していれば、津波や海難事故の場合だけでなく、建物の火災事故発生時にも、救命胴衣Ａを着用することで、火傷などの被害を軽減することができる。布素材の耐炎材としては、公知のものを、特に制限なく用いることができる。たとえば、公知の耐炎繊維（商品名「ラスタン」旭化成商事（株）製）を用いた布などが好適である。
ベルト８の耐炎材としても、公知のものを用いることができる。具体的にはベルト部分もバックルも公知の耐熱性樹脂（たとえば、ポリエーテル樹脂やポリイミド樹脂を用いたもの）を用いて作製したものが好ましい。
【００１８】
つぎに、本発明の救命胴衣Ａの使用方法を説明する。
救命胴衣Ａの着用は通常のものと同様であり、図４に示すように、人体の胴のまわりに着せてベルト８で締めつける。腕を脇部６，６の上から出し、首を首回り（襟巻き部１０の底縁１１ｂ，１２ｂ，１３ｂの間）から出す。襟巻き部１０は、胴衣本体１の後方に突き出るか、少しは下向きになっている。ただし、浮力材が入っているので、布だけのもののように垂れ下るわけではない。
【００１９】
水中や海中で使用している状態では、図５に示すように、人の体はやや斜めかあお向けになって顔は上に向けることができる。救命胴衣Ａの着用者が足を伸ばして水平に近づけると、着用者の体全体も水平に近くなり、足を下に向けると体全体も立ってくる。そして、いかなる状態でも、人の体はあお向けに自然と保持される。なぜなら、本発明の救命胴衣Ａでは前身頃２，３の浮力が大きいからである。
【００２０】
上記のように、前身頃２，３の浮力が後身頃４の浮力より大きいので、波によって人体が横に向いたりうつ伏せになったとしても、すぐにあお向けに戻すことができるので呼吸を続けやすくなる。また、襟巻き部１０の左右の側面部１２，１３も立ち上らせやすくなる。このため、救命効果が高くなる。しかしながら、人為的に横に向いたり泳ぐなどの自律動作も可能である。
襟巻き部１０の後面と左右の側面部１２，１３には独立した浮力材が入っており、左右の両側面部１２，１３が水の浮力を受けて立ち上るときは、逆八の字形の側縁で折り曲げられ、このため人の頭の側部を包むように覆うことができる。このため、頭が左右に転がらないように保持しやすくなるので、津波や海難事故中に大きな波におそわれても、口が水中に漬かって呼吸困難になるのを防止しやすい。
【００２１】
本発明の救命胴衣Ａを装着していると、人が長時間漂流して体力を失ってきたとしても、あお向けで浮いている限り頭は後面も左右両側面も襟巻き部１０で保持されるので、顔面を上に向けて保持され呼吸を続けることができる。また、大きな波をかぶっても襟巻き部１０の開放縁から水を排水できフードのように内部に貯めることがないので、この点からも呼吸を続けることができる。よって、長時間漂流する事態でも高い救命効果が得られる。
【００２２】
また、本発明の救命胴衣Ａが耐炎性の素材で作られていれば、津波や地震に伴う火災や一般火災時に人体を火災から守る役目も果たすことができる。
【符号の説明】
【００２３】
１      胴衣本体
２，３  前身頃
４      後身頃
８      ベルト
１０      襟巻き部
１１      後面部
１２      左側面部
１３      右側面部
【図１】
2014054861.tif 000003
【図２】
2014054861.tif 000004
【図３】
2014054861.tif 000005
【図４】
2014054861.tif 000006
【図５】
2014054861.tif 000007